(57)【要約】      （修正有）【課題】靴べらを使用することなく踵部を踏み潰すことなく、立ったままで容易に装着可能な靴を提供する。【解決手段】少なくとも靴の踵部１１の外部材に沿って該外部材と一体に取り付けられ、踵部の外側となる部分は靴底に対して垂直に立設され、踵部の内側となる部分は下部に対し上部が靴前方に傾斜するよう形成され、踵部の上端面となる部分は踵部の外側縁部よりも内側縁部が低くなるよう形成され、踵部の両側面となる部分は靴の前方に行くほど低くなるよう形成された剛性部と、該剛性部に対し靴内側において剛性部に一体に取り付けられたほぼ均一な厚さの柔軟部材と、から成る改良部１２を有して構成される。【選択図】図１
0003149834.tif 000002
【実用新案登録請求の範囲】
【請求項１】
少なくとも、靴の踵部及び該踵部の周囲近傍において、靴外側を前記靴の外側部材に覆われ、靴内側を前記靴の内側部材に覆われ、前記外側部材に沿い該外側部材と一体に取り付けられ、前記踵部に対し外側方向となる部分は靴底に対して垂直に立設され、前記踵部に対し内側方向となる部分は下部に対し上部が靴前方に傾斜するよう形成され、前記踵部の上端面に対応する部分は前記踵部の外側縁部よりも内側縁部が低くなるよう形成され、前記踵部の両側面に対応する部分は前記靴の前方に行くほど低くなるよう形成された剛体部を有する、ことを特徴とする装着容易な靴。
【請求項２】
前記剛体部は、金属、硬質合成樹脂、又は流し込み後に硬化する素材から成る、ことを特徴とする請求項１記載の装着容易な靴。
【請求項３】
前記剛体部の靴内側方向の面に一体に取り付けられたほぼ均一な厚さの柔軟部を更に有する、ことを特徴とする請求項１記載の装着容易な靴。
【請求項４】
前記靴の前記外側部材又は前記内側部材は、軟質合成樹脂、織布、又は皮革で形成されている、ことを特徴とする請求項１又は２記載の装着容易な靴。
【請求項５】
前記靴の前方の上部構造の足に直接当たる部分に形成されたＶ字型の切れ込みを、更に有する、ことを特徴とする請求項１、２又は３記載の装着容易な靴。
【考案の詳細な説明】
【技術分野】
【０００１】
本考案は、使用者が装着することが容易な靴に関する。
【背景技術】
【０００２】
従来の装着の容易な靴としては、甲の上部を覆った甲部被覆材部分に、足首前部から爪先箇所あるいはそれに近い箇所にわたって、甲の上部を覆う履き状態と甲の上部を開放した脱ぎ履き状態とに開閉可能に甲部ジッパーを設け、かつ、踵の周囲を覆った踵部被覆材部分に、上端部から中底上面に近い箇所にわたって、踵の周囲を覆う履き状態と踵の周囲を開放した脱ぎ履き状態とに開閉可能に踵部ジッパーを設ける靴が知られている（例えば、特許文献１参照）。
【先行技術文献】
【特許文献】
【０００３】
【特許文献１】特願２０００−３５７１８８公報
【考案の概要】
【考案が解決しようとする課題】
【０００４】
特許文献１で示されているような従来の装着が容易な靴は、甲部や踵部にジッパーが設けられているため、使用者は、靴の甲部や踵部のジッパーを充分に開けてから靴に足を入れて最後に甲部や踵部のジッパーを閉めることによって、靴を装着していた。
【０００５】
従って、使用者にとっては、ジッパーの開け閉めの動作が必要となり、使用者が子供、老人や病人等の場合には、靴を適切に装着することが困難である場合が多かった。
【０００６】
また、例えば、屋内外の工事を行う工事作業者等のように、屋内外を頻繁に出入りする使用者の場合には、出入りの度に、靴のジッパーの開け閉めを行う時間が惜しまれ、作業者は履いた靴のジッパーを閉めることなく、そのまま屋外に出て作業を行うことが多かった。
【０００７】
このため、靴が脱げて事故を起こしたり、あるいは、靴の踵部を潰して履くことによって靴の型崩れを起こしたりするという不具合が生じるという課題があった。
【課題を解決するための手段】
【０００８】
本考案は、以上のような課題を解決するために考案されたものであり、本考案の装着容易な靴は、少なくとも、靴の踵部及び該踵部の周囲近傍において、靴外側を靴の外側部材に覆われ、靴内側を靴の内側部材に覆われ、外側部材に沿い該外側部材と一体に取り付けられ、踵部に対し外側方向となる部分は靴底に対して垂直に立設され、踵部に対し内側方向となる部分は下部に対し上部が靴前方に傾斜するよう形成され、踵部の上端面に対応する部分は踵部の外側縁部よりも内側縁部が低くなるよう形成され、踵部の両側面に対応する部分は靴の前方に行くほど低くなるよう形成された剛性部を有することを特徴とする。
【０００９】
この装着容易な靴において、例えば、上記剛性部の靴内側方向の面に一体に取り付けられたほぼ均一な厚さの柔軟部を更に有するように構成してもよい。また、例えば、上記靴の外側部材又は内側部材は、軟質合成樹脂、織布、又は皮革で形成されていてよい。また、例えば、靴の前方の上部構造の足に直接当たる部分に形成されたＶ字型の切れ込みを、更に有するように構成してもよい。
【考案の効果】
【００１０】
本考案によれば、どのような使用者であっても、靴べらを使用することなく、踵部を踏み潰すこともなく、立ったままで容易に足に装着可能な容易な靴を提供することができる。
【図面の簡単な説明】
【００１１】
【図１】本考案の改良部を有する靴の構成の一例を示す斜面図である。
【図２】本考案の改良部のみを靴から取り出して示す側面図である。
【図３】本考案の改良部の構成の一例として中心部の側断面を踵部の側断面と共に示す図である。
【図４】本考案の改良部の構成の他の例として中心部の側断面を踵部の側断面と共に示す図である。
【図５】本考案の改良部の中心部の側断面の基本形を示す図である。
【図６】本考案の改良部の厚さや高さに関係する靴の形状上の寸法を説明する図である。
【考案を実施するための形態】
【実施例１】
【００１２】
以下、図面を参照しながら、本考案の実施形態について詳細に説明する。
図１は、本考案の靴の構成の一例を示す斜面図である。同図に示す靴５の材質は、例えば軟質合成樹脂、帆布やズック等の織布、又は、なめし、艶消し、床皮等の皮革であってもよい。
【００１３】
この靴５は、踵部１１を含む周囲部の外部を形成する外側部材としての外皮（皮革とは限らないが、ここでは「外皮」ということにする）１０と、この周囲部を靴の内側から内張りした内側部材としての内皮（皮革とは限らないが、ここでは「内皮」ということにする）１３と、足の甲を覆う甲部１４と靴底部１５と、踵部１１と内皮１３との間に形成されている改良部１２から成っている。
【００１４】
尚、図１では分かりやすく改良部１２を実線で示しているが、実際には改良部１２は踵部１１と内皮１３との間に挟まって外部からは隠れている。つまり、改良部１２は、踵部１１の外部材に沿って、この外部材と一体に形成されている。また、この改良部１２は、詳しくは後述するが、剛性部と柔軟部とから成る。
【００１５】
また、靴５の甲部１４は、中央から左右に２つに分かれており、分かれ目は編み紐１６で閉じられている。そして、この編み紐１６の内側に足が直接触れないように、甲部１４の内側には当て皮（皮革とは限らないが、ここでは「当て皮」ということにする）１７が配設されている。この当て皮１７の履き口は、Ｖ字形に切り込まれている。
【００１６】
この靴５において、踵部１１を形成している外部材（軟質合成樹脂、帆布やズック等の織布、又は、なめし、艶消し、床皮等の皮革）の形状は、靴底部１５に対してほぼ直角に立設されるように形成されている。
【００１７】
図２は、上記の改良部１２のみを取り出して示す側面図である。尚、同図には、踵部１１の外皮１０を仮想的に破線で示している。同図に示すように、改良部１２（以下、図１も参照）は、踵部１１の上端面となる部分は、踵部１１の外側縁部よりも内側縁部が低くなるように形成されている。また、改良部１２の踵部１１の両側面に対応する部分１８は、靴５の前方に行くほど低くなるように形成されている。
【００１８】
図３は、上記の改良部１２の構成の一例として中心部の側断面を踵部１１の側断面と共に示す図である。同図に示すように、踵部１１の外皮１０と内皮１３との間に挟まって外部からは隠れている改良部１２は、図３に示す例では、剛体部１９と柔軟部２１とを一体に張り合わせた状態で構成されている。
【００１９】
剛体部１９は、例えば、金属、硬質合成樹脂、又は流し込み後に硬化する素材などで形成されている。この剛体部１９は、踵部１１の外側となる部分（外皮１０に密着する部分）は靴底に対して垂直に立設され、踵部１１の内側となる部分（柔軟部２１との張り合わせ部分）は下部に対し上部が靴前方に傾斜するよう形成されている。
【００２０】
また、柔軟部２１は、例えば、発泡樹脂等から成り、均等な適宜の厚さに形成され、靴を履く人の踵への緩衝材として、剛体部１９と一体に張り合わせられている。
【００２１】
上記の改良部１２は、図２でも説明したが、図３に示すように、踵部１１の上端面に対応する部分は踵部１１の外側縁部よりも内側縁部が低くよう形成されている。
【００２２】
尚、この改良部１２は、靴５とは別の工程で製造した後に靴５に強力な接着剤等で固着しても良い。また、改良部１２の厚さは、２〜５ｍｍ程度であっても良い。
【００２３】
このように、改良部１２には、踵部１１の外側となる部分が靴底に対して垂直に立設する剛体部１９を備えているので、人が上から踏み付けても靴５の踵が潰れることがない。
【００２４】
一方、踵部１１の上端面となる部分は、踵部１１の外側縁部よりも内側縁部が低くなるように形成されているので、靴５を履く人は、靴５の踵部分から足を容易に靴５内に滑り込ませることができる。
【００２５】
他方、踵部１１の内側となる部分は下部に対し上部が靴前方に傾斜するよう形成されているので、靴５を履いた後は、靴５の踵部内側の形状が足の踵の外側の形状に良く馴染んで、靴５が足から容易に脱げることがない。
【００２６】
図４は、本考案の改良部１２の構成の他の例として中心部の側断面を踵部の側断面と共に示す図である。同図に示す改良部１２は、剛体部１９のみで構成され、図３に示した柔軟部２１は除去されている。他の部分の構成は図３の場合と同様である。
【００２７】
改良部１２をこのように構成しても、踵部１１の内側には、内皮１３が内張りされていて、剛体部１９が足に直接触れることがないので、人によっては、この構成でも履き易い靴として十分実用になる。
【００２８】
尚、剛体部１９に当たる部分だけ内皮１３の厚さを他の部分よりも厚くして、内皮１３に柔軟部２１を兼ねさせるようにしてもよい。
【００２９】
図５は、上述した改良部１２の中心部の側断面の基本形を示す図である。上述したように、改良部１２は、踵部１１の内側となる部分は下部に対し上部が靴前方に傾斜するよう形成されているが、この傾斜の角度θは、５度＜θ＜２０度の範囲であれば、十分な作用・効果を発揮することができる。
【００３０】
図６は、改良部１２の厚さや高さや傾斜の角度に関係する靴の形状上の寸法を説明する図である。靴５には、靴の踵部１２の前側に沿って、下方は位置aから位置bまで、上方は位置cから位置dまで、足の踵周辺が当たるような改良部１２が設けられている。位置a、b、c、dの位置は、使用者が靴べらを使って通常の靴を履くときの範囲によって決めても良い。
【００３１】
また、改良部１２の高さｈ１、履き口前方の高さｈ２、履き口前後方向の長さwとすると、改良部１２の高さｈ１が低いと靴５が履き易く、履き口前方の高さｈ２が高いと靴５が履き易く、また、履き口前後方向の長さwが長いと靴５が履き易くなるという関係がある。これらのことを考慮して改良部１２の形状を適宜に設定するとよい。
【産業上の利用可能性】
【００３２】
本考案は、使用者にとって装着が容易な靴に利用することができる。
【符号の説明】
【００３３】
５  靴
１０  外皮
１１  踵部
１２  改良部
１３  内皮
１４  甲部
１５  靴底部
１６  編み紐
１７  当て皮
１８  踵部の両側面に対応する部分
１９  改良部の剛体部
２１  改良部の柔軟部
【図１】
0003149834.tif 000003
【図２】
0003149834.tif 000004
【図３】
0003149834.tif 000005
【図４】
0003149834.tif 000006
【図５】
0003149834.tif 000007
【図６】
0003149834.tif 000008